(57)【要約】【課題】呼吸状態検出センサを容易且つ確実に呼吸性移動体に取り付けることができ、しかも、安価で繰り返し使用することができる呼吸状態検出センサの固定用ベルトを提供する。【解決手段】固定用ベルト４０は、被検体Ｍに巻き付けることが可能な、例えば、チノクロス（綾織り）等の布部材からなるベルト本体部４２と、固定用ベルト４０を被検体Ｍに密着させるために、固定用ベルト４０を長手方向（矢印方向）に伸縮自在に変位させるゴム部材４４と、ロードセル２６を収容保持するためのポケット部４６と、固定用ベルト４０を被検体Ｍに固定するための第１面ファスナー４８と、第１面ファスナー４８と係着するための第２面ファスナー４９とから構成される。【選択図】図２
2004049797.tif 000002
【特許請求の範囲】
【請求項１】
呼吸性移動体の呼吸状態を検出するセンサの固定用ベルトであって、
前記呼吸性移動体に巻き付けられるベルト本体部と、
前記ベルト本体部の両端部に設けられ、相互に係合することで前記ベルト本体部を前記呼吸性移動体に固定するベルト固定具と、
前記ベルト本体部の所定部位に設けられ、前記ベルト本体部を長手方向に伸縮自在とする伸縮部材と、
前記ベルト本体部に設けられ、前記センサを着脱自在に収容保持するポケット部と、
を備え、前記センサは、前記ポケット部を介して前記呼吸性移動体の検出部位に当接することを特徴とする呼吸状態検出センサの固定用ベルト。
【請求項２】
請求項１記載のベルトにおいて、
前記ポケット部は、前記センサの入口部分に配設される蓋部材と、前記蓋部材を前記ポケット部に固着する固着部材とを備えることを特徴とする呼吸状態検出センサの固定用ベルト。
【請求項３】
請求項１または２に記載のベルトにおいて、
前記ポケット部は、前記センサの収容位置を表示するセンサ収容位置表示部を備えることを特徴とする呼吸状態検出センサの固定用ベルト。
【請求項４】
請求項１または２に記載のベルトにおいて、
前記ベルト固定具および／または前記固着部材は、面ファスナーからなることを特徴とする呼吸状態検出センサの固定用ベルト。
【請求項５】
請求項１〜４のいずれか１項に記載のベルトにおいて、
前記ベルト本体部および前記ポケット部を布部材で構成し、前記伸縮部材をゴム部材で構成することを特徴とする呼吸状態検出センサの固定用ベルト。
【発明の詳細な説明】
【０００１】
【発明の属する技術分野】
本発明は、呼吸性移動体の呼吸状態を検出するセンサの固定用ベルトに関する。
【０００２】
【従来の技術】
近年、ＣＴ（Ｃｏｍｐｕｔｅｄ　Ｔｏｍｏｇｒａｐｈｙ）装置、ＣＲ（Ｃｏｍｐｕｔｅｄ　Ｒａｄｉｏｇｒａｐｈｙ）装置、ＭＲＩ（Ｍａｇｎｅｔｉｃ　Ｒｅｓｏｎａｎｃｅ　Ｉｍａｇｉｎｇ）装置等のコンピュータ支援診断装置が医療分野において広汎に利用されている。
【０００３】
これらの装置を用いて被検体の胸部や腹部の撮影を行う場合、撮影された画像の精度向上を図るためには、被検体の呼吸に伴う臓器等の移動を極力抑えることが望ましい。しかしながら、撮影に際して、自発的な呼吸の一時停止を強制することは、被検体に負担を強いることになる。また、被検体によっては、自発的な呼吸の一時停止をすることが困難な場合もある。
【０００４】
このような問題は、被検体の画像を撮影する場合に限られるものではない。例えば、放射線を患部に照射することで治療を行う放射線治療装置においても、患部の移動があると、放射線を当該患部に正確に照射することが困難となる不都合がある。
【０００５】
そこで、被検体の呼吸状態を検知し、その呼吸状態から臓器等の位置を予測し、所定のタイミングで放射線を照射するようにした装置が種々提案されている。この場合、呼吸状態を検知するセンサとして、例えば、特開平９−２５３２２６号公報に開示されるように、歪みゲージを用いたものが知られている。図７は、この従来技術における歪みゲージ１の固定方法を示す。歪みゲージ１は、被検体２の腹部等の移動部位に医療用のテープ３で固着される。
【０００６】
ところで、歪みゲージ１をこのようにして固定する場合、歪みゲージ１が被検体２に直接接触するため、当該被検体２の呼吸状態の検知並びに検知された呼吸状態に基づく撮影が終了した後、次の被検体２に歪みゲージ１を固着するのに先立ち、歪みゲージ１をその都度消毒する必要がある。なお、複数の歪みゲージ１を準備しておくことも考えられるが、歪みゲージ１は相当に高価であるため、コストアップとなる問題がある。
【０００７】
また、歪みゲージ１を被検体２に固着する際、歪みゲージ１が脱落しないようにテープ３で何重にも固定する等、作業が煩雑であるという難点がある。さらに、テープ３は、被検体２の汗や体温の上昇等で剥がれ易い。テープ３が剥がれると、歪みゲージ１が浮き上がり検出精度が低下してしまう。従って、歪みゲージ１をテープ３で被検体２に固着する方法は、長時間に亘って行われる撮影には不向きである。
【０００８】
【発明が解決しようとする課題】
本発明は、前記の不具合を解消するためになされたものであり、呼吸状態検出センサを容易且つ確実に呼吸性移動体に取り付けることができ、しかも、安価で繰り返し使用することができる呼吸状態検出センサの固定用ベルトを提供することを目的とする。
【０００９】
【課題を解決するための手段】
前記の目的を達成するために、本発明は、呼吸性移動体の呼吸状態を検出するセンサの固定用ベルトであって、
前記呼吸性移動体に巻き付けられるベルト本体部と、
前記ベルト本体部の両端部に設けられ、相互に係合することで前記ベルト本体部を前記呼吸性移動体に固定するベルト固定具と、
前記ベルト本体部の所定部位に設けられ、前記ベルト本体部を長手方向に伸縮自在とする伸縮部材と、
前記ベルト本体部に設けられ、前記センサを着脱自在に収容保持するポケット部と、
を備え、前記センサは、前記ポケット部を介して前記呼吸性移動体の検出部位に当接することを特徴とする。
【００１０】
呼吸状態を検出するセンサは、ベルト本体部に設けられたポケット部に収容され、前記センサを収容保持したベルト本体部を、ベルト固定具によって呼吸性移動体に容易に取り付けることができる。この場合、センサが脱落することがなく、センサの検出精度を高精度に維持することができる。また、センサが呼吸性移動体に直接触れることがないので、例えば、被検体が替わる毎にセンサを消毒する等の手間を省くことができる。
【００１１】
また、前記ポケット部は、前記センサの入口部分に配設される蓋部材と、前記蓋部材を前記ポケット部に固着する固着部材とを備えているため、前記センサがポケット部から脱落し難くなり、好適である。
【００１２】
また、前記ポケット部は、前記センサの収容位置を表示するセンサ収容位置表示部を備えているので、前記センサを所望の検出部位に正確に位置合わせすることができる。
【００１３】
さらに、前記ベルト固定具および／または前記固着部材を面ファスナーとすることにより、前記センサのポケット部への収容作業および／または前記ベルト本体の呼吸性移動体への固定作業を容易なものとすることができる。
【００１４】
さらにまた、前記ベルト本体部および前記ポケット部を布部材で構成し、前記伸縮部材をゴム部材で構成すると、前記固定用ベルトを任意の形体の被検体に対して装着することができ、しかも、洗濯が容易であり、安価で繰り返し使用することができる。
【００１５】
【発明の実施の形態】
図１は、本実施形態に係る呼吸状態検出センサの固定用ベルトが適用された放射線画像撮影システム１０の全体構成を示す。
【００１６】
放射線画像撮影システム１０は、Ｘ線制御装置１１と、Ｘ線制御装置１１から供給されるショット信号に従って高電圧を発生する高電圧発生装置１３と、被検体Ｍ（呼吸性移動体）を載置した状態で矢印Ａ方向に変位可能なベッド１２と、高電圧発生装置１３から供給される高電圧に従い被検体Ｍに対してＸ線を照射するＸ線源１４と、被検体Ｍを透過したＸ線を検出するＸ線検出器１６と、Ｘ線検出器１６により検出されたＸ線に基づく被検体透過データを収集するデータ収集装置１８と、収集された被検体透過データから被検体Ｍの断層画像を再構成する画像再構成装置２０と、再構成された断層画像をＣＲＴ（Ｃａｔｈｏｄｅ　Ｒａｙ　Ｔｕｂｅ）等に表示する画像表示装置２２と、Ｘ線源１４によるＸ線の照射タイミングを決定するための同期信号を生成する同期信号生成装置２４とを備える。なお、Ｘ線源１４およびＸ線検出器１６は、それぞれ矢印Ｂ方向に旋回可能であり、これらの機構は、ＣＴ（Ｃｏｍｐｕｔｅｄ　Ｔｏｍｏｇｒａｐｈｙ）装置を構成する。
【００１７】
同期信号生成装置２４には、固定用ベルト４０に収容保持された状態で被検体Ｍの横隔膜近傍や腹部に装着され、被検体Ｍの呼吸状態を検出する信号ケーブル２５を有したロードセル２６（呼吸状態検出センサ）と、被検体Ｍの口に装着されるマスク２８に連結され、被検体Ｍの呼吸状態を制御するとともに、呼吸状態をエアー流量信号として検出する流量センサを有する呼吸制御装置３０とが接続される。
【００１８】
ここで、固定用ベルト４０は、基本的には、図２に示すように、被検体Ｍに巻き付けることが可能な、例えば、チノクロス（綾織り）等の布部材からなるベルト本体部４２と、固定用ベルト４０を長手方向（図２の矢印方向）に伸縮自在なゴム部材４４（伸縮部材）と、ロードセル２６を収容保持するポケット部４６と、固定用ベルト４０を被検体Ｍに固定するための第１面ファスナー４８（ベルト固定具）と、第１面ファスナー４８に係着する第２面ファスナー４９（ベルト固定具）とから構成される。
【００１９】
ベルト本体部４２は、図３に示すように、被検体Ｍの横隔膜近傍等に直接接触する内側部材５０ａ、５０ｂと、被検体Ｍと直接接触しない外側部材５２ａ、５２ｂとから構成され、内側部材５０ａ、５０ｂと外側部材５２ａ、５２ｂとの間にゴム部材４４を挟んだ状態で縫い合わされて一体化される。
【００２０】
内側部材５０ｂのゴム部材４４から離間する端部には、図４に示すように、第１面ファスナー４８が配設され、内側部材５０ａのゴム部材４４から離間する端部には、ロードセル２６を収容保持するポケット部４６が配設される。
【００２１】
また、外側部材５２ａのゴム部材４４から離間する端部には、図５に示すように、第１面ファスナー４８（図４参照）に係着する第２面ファスナー４９が配設される。
【００２２】
ポケット部４６は、図６に示すように、ロードセル２６の検出精度に影響を与えることのない程度の厚さの布部材からなるポケット本体部６０を備える。ポケット本体部６０は、ロードセル２６を収容保持するロードセル収容部６４を有し、３方の外周部が内側部材５０ａと縫い合わされて連結される。ポケット本体部６０の内側部材５０ａと縫い合わされていない部分は、ロードセル挿入口６６を形成する。
【００２３】
ポケット本体部６０のロードセル挿入口６６には、ロードセル収容部６４からロードセル２６が脱落することを回避するための蓋部材７０が設けられる。蓋部材７０には、第１面ファスナー７２（固着部材）が配設され、この第１面ファスナー７２は、ポケット本体部６０のロードセル挿入口６６側に設けられた第２面ファスナー７４（固着部材）に係着される。
【００２４】
また、ポケット本体部６０の略中央部には、ロードセル収容部６４に収容保持されるロードセル２６の最適検知位置を示す目印７６（センサ収容位置表示部）が、例えば印刷等により設けられる。
【００２５】
放射線画像撮影システム１０は、基本的には以上のように構成されるものであり、次にその動作について説明する。
【００２６】
先ず、図６に示すように、ロードセル２６を固定用ベルト４０のポケット部４６のロードセル挿入口６６から挿入し、ロードセル収容部６４に収容保持する。次いで、蓋部材７０の第１面ファスナー７２とポケット本体部６０の第２面ファスナー７４とを係着させる。この場合、ロードセル挿入口６６は、蓋部材７０によって封止されるので、ロードセル２６がロードセル収容部６４から脱落することはない。
【００２７】
次いで、図２に示されるように、ロードセル２６をポケット部４６に収容保持した固定用ベルト４０を被検体Ｍの横隔膜近傍等に取り付ける。すなわち、ロードセル２６が呼吸状態を検出する最適な位置に合うように、ポケット本体部６０に設けられた目印７６を目安としてポケット本体部６０側を被検体Ｍに当接させ、固定用ベルト４０を被検体Ｍの横隔膜近傍等に巻き付けた後、第１面ファスナー４８と第２面ファスナー４９とを係着させて、固定用ベルト４０を固定する。この場合、固定用ベルト４０には、ゴム部材４４が介装されているので、固定用ベルト４０は、被検体Ｍの形体に影響されることがなく、良好に装着することができる。
【００２８】
横隔膜近傍等に固定用ベルト４０が取り付けられた被検体Ｍがベッド１２に載置された後、ロードセル２６が付勢されると、被検体Ｍの呼吸状態の検出信号が同期信号生成装置２４に出力される。検出信号を受信した同期信号生成装置２４は、前記検出信号から呼吸同期信号を生成し、Ｘ線制御装置１１に供給する。Ｘ線制御装置１１は、同期信号が供給されると、高電圧発生装置１３にショット信号を出力する。高電圧発生装置１３は、供給されたショット信号に従ってＸ線源１４を駆動し、これにより、Ｘ線が被検体Ｍに照射される。
【００２９】
Ｘ線源１４に対して対向して配置されているＸ線検出器１６は、被検体Ｍを透過したＸ線を検出して被検体透過データを得る。この被検体透過データは、データ収集装置１８によって収集された後、画像再構成装置２０に転送され、被検体Ｍの断層画像の再構成が行われる。再構成された画像は、画像表示装置２２において診断のために表示される。
【００３０】
断層画像の再構成が完了すると、被検体Ｍの横隔膜近傍等から固定用ベルト４０が取り外される。取り外された固定用ベルト４０は、ポケット部４６からロードセル２６を取り出した後、洗濯することができる。この場合、固定用ベルト４０は、布部材とゴム部材とで構成されているので、洗濯が容易であり、繰り返し使用することができ、経済的である。
【００３１】
一方、ロードセル２６は、固定用ベルト４０に収容保持されているので、被検体Ｍに直接触れることはない。従って、例えば、複数の被検体Ｍの断層画像を撮影する際、被検体Ｍが替わる毎にロードセル２６を消毒する等の手間が省かれる。
【００３２】
なお、ロードセル２６は、固定用ベルト４０に収容保持された状態で被検体Ｍに装着されるため、例えば、被検体Ｍが下着を装着しているような場合であっても、その下着の上から固定用ベルト４０を装着し、ロードセル２６によって被検体Ｍの呼吸状態を高精度に検出することができる。
【００３３】
なお、上述した本実施形態においては、固定用ベルト４０を、内側部材５０ａ、５０ｂと外側部材５２ａ、５２ｂとからなる二重構造のものを例示したが、これに限定されるものではなく、例えば、内側部材５０ａ、５０ｂおよび外側部材５２ａ、５２ｂをそれぞれ１枚構成とすることも可能である。
【００３４】
また、ポケット部４６に設けられた目印７６は、ロードセル２６の収容位置を示すものであればどのように構成してもよく、その形状、色、材質は、必要に応じて任意に変更することができる。
【００３５】
【発明の効果】
本発明の呼吸状態検出センサの固定用ベルトは、呼吸状態検出センサを長時間に亘って容易かつ確実に呼吸性移動体に取り付けることが可能であり、しかも、安価で繰り返し使用することができる。
【図面の簡単な説明】
【図１】本実施形態の呼吸状態検出センサの固定用ベルトが適用される放射線画像撮影システムの全体構成図である。
【図２】呼吸状態検出センサの固定用ベルトの構成を説明する斜視説明図である。
【図３】呼吸状態検出センサの固定用ベルトの構成を説明する分解斜視説明図である。
【図４】呼吸状態検出センサの固定用ベルトの内側部材の平面図である。
【図５】呼吸状態検出センサの固定用ベルトの外側部材の平面図である。
【図６】呼吸状態検出センサの固定用ベルトのポケット部の詳細構成を説明する斜視説明図である。
【図７】従来技術に係る呼吸状態検出センサの被検体の腹部への固定方法の説明図である。
【符号の説明】
１０…放射線画像撮影システム　　　２４…同期信号生成装置
２６…ロードセル　　　　　　　　　４０…固定用ベルト
４２…ベルト本体部　　　　　　　　４４…ゴム部材
４６…ポケット部　　　　　　　　　４８…第１面ファスナー
４９…第２面ファスナー　　　　　　５０ａ、５０ｂ…内側部材
５２ａ、５２ｂ…外側部材　　　　　６０…ポケット本体部
６４…ロードセル収容部　　　　　　６６…ロードセル挿入口
７０…蓋部材　　　　　　　　　　　７２…第１面ファスナー
７４…第２面ファスナー　　　　　　７６…目印
Ｍ…被検体
【図１】
2004049797.tif 000003
【図２】
2004049797.tif 000004
【図３】
2004049797.tif 000005
【図４】
2004049797.tif 000006
【図５】
2004049797.tif 000007
【図６】
2004049797.tif 000008
【図７】
2004049797.tif 000009